(57)【特許請求の範囲】
【請求項１】
キャップ又は軸筒にクリップが一体に成形される筆記具において、
前記クリップは、前記キャップ又は前記軸筒の後端側の外周面に一体に成形されたクリップ本体部と、該クリップ本体部の付根近傍の一部分に成形され融着されて、前記クリップ本体部が開く方向の曲げ加重に対して部分的に弾性変形するエラストマー樹脂部とを有することを特徴とする筆記具。
【請求項２】
クリップ本体部の付根近傍の上記一部分には、断面積を縮小した連結部が形成され、上記エラストマー樹脂部は、前記連結部の外周面を覆って成形されていることを特徴とする請求項１記載の筆記具。
【請求項３】
クリップの表面や、キャップ又は軸筒の表面に、上記エラストマー樹脂部と同時に二重成形される文字や模様等の装飾部を設けたことを特徴とする請求項１又は２記載の筆記具。
【発明の詳細な説明】
【０００１】
【発明の属する技術分野】
本発明は、ボールペンやサインペン、シャープペンシル等、クリップを有する筆記具に関するものである。
【０００２】
【従来の技術】
従来、この種の筆記具には、クリップがキャップ又は軸筒と同一の樹脂材料で一体に成形されたものが種々あり、この樹脂製クリップは、開きの限界が小さいため不用意な使用法によっては根元部から折れやすいという問題があった。そこで、衣服やバッグのポケットに抜き差しする際や不用意な使用によりクリップが折れて破断することがないように、クリップの略全長にわたって金属片などの補強部材を嵌着し、クリップ全体を補強するように構成したもの（実開昭６０−１９４８７号公報，実開昭５９−２４３９０号公報，実開平４−１５５９０号公報等参照）が提案されている。
【０００３】
しかしながら、上記クリップの補強構造においても、不用意な使用状況でクリップに極度な曲げ荷重がかかると、該クリップが上記補強部材ごと曲がってしまうという問題を生じていた。
更に、上記した筆記具では、キャップ又は軸筒に補強部材を嵌着した構造であるため、乱暴な扱いを受けると補強部材が外れてしまうことも懸念される。また、前記補強部材の組み付けはキャップ又は軸筒の成形工程とは別の組立て工程で行わなければならず、部品の管理や移送等が煩雑である。
【０００４】
【発明が解決しようとする課題】
本発明は上記従来事情に鑑みてなされたものであり、その目的とする処は、クリップの部分的な弾性を高めて耐久性を向上させると共に不用意な使用状況にも対応でき、その上、生産性にも優れた筆記具を提供することにある。
【０００５】
【課題を解決するための手段】
上記目的を達成するため、本発明は、キャップ又は軸筒にクリップが一体に成形される筆記具において、前記クリップの一部に、その材料と融着し合うエラストマー樹脂部を設けたことを特徴とする。
尚、エラストマー樹脂部の位置は、破断しやすい箇所近傍に設定するのが効果的であり、通常の筆記具においてクリップに曲げ荷重を受けて破断し易い箇所がその付け根近傍であることから、好ましくはクリップの付け根近傍に位置させることがよい。
また、上記のようにエラストマー樹脂部を設ける手段は、具体的には、キャップ又は軸筒と共にクリップを成形した後、そのクリップの一部にエラストマー樹脂部を再成形する所謂二重成形によって達成できる。
また、上記筆記具の装飾性を向上するためには、クリップの表面や、キャップ又は軸筒の表面に、上記エラストマー樹脂部と同時に二重成形される文字や模様等の装飾部が設けられる。
ここで、クリップの表面や、キャップ又は軸筒の表面とは、クリップの表面、クリップの表面とキャップの表面、クリップの表面と軸筒の表面、キャップの表面、軸筒の表面等、これら何れの場合も含むことを意味する。
【０００６】
更に、上記筆記具において、クリップを一体に成形する部材がキャップである場合、該キャップは、上記エラストマー樹脂部と同時に二重成形される首栓にペン先シール部を有するようにすれば、上記エラストマー樹脂の成形工程とは別の工程で、キャップ内に別部品のペン先シール部を装着する必要がなくなる。
尚、エラストマー樹脂は、一般的に、常温でゴム弾性を有し、高温では熱可塑性樹脂と同様に可塑化されるもので、通常のゴムの場合のような混練工程や加硫工程を必要とすることなく、熱可塑性樹脂同様に成形加工ができるものである。
その上、素材の化学構造を変えることによって、軟質加硫ゴムから熱可塑性樹脂に近いものまで、幅広い範囲の物性が得られる等、成形性及び物性共に優れた弾性体である。本発明は、このエラストマー樹脂の優れた特性を有効に利用したものである。
【０００７】
［作用］
本発明によれば、クリップは、曲げ荷重を受けると、部分的にエラストマー樹脂部を弾性変形させて曲がるため、折れて破断することがない。
また、上記エラストマー樹脂部と同時に装飾部やペン先シール部を二重成形するようにすれば、装飾的効果やペン先シール構造が同一成形工程で付加される。
【０００８】
【発明の実施の形態】
以下、本発明の実施の形態を図面に基づいて説明すれば、図１乃至３は、本発明に係る筆記具の一例としてボールペンＡを示す。
このボールペンＡは、後端のノック部７を操作することで先口８先端からチップ９を出没するノック式の場合を例示する。
【０００９】
このボールペンの軸筒１には、その外周面の後端側にクリップ１０が一体に成形されている。
クリップ１０は、軸筒１後端側の外周面に一体に成形された略棒状のクリップ本体部１０ａと、その付け根近傍に二重成形されたエラストマー樹脂部１１とからなる。
【００１０】
クリップ本体部１０ａは、その付け根近傍の一部分が、該クリップ本体部１０ａの先端側と付け根側とを一体成形可能な程度に断面積を縮小した連結部１２で形成され（図１（ｂ）参照）、そして、その軸筒１側内面の先端側には、衣服やバッグ等のポッケトを挟みつける半球状の玉部１３が形成されている。
【００１１】
エラストマー樹脂部１１は、その表面がクリップ本体部１０ａの表面と略面一になるように、前記連結部１２の外周面を覆って成形されている。
このエラストマー樹脂部１１の成形は、一体に成形された上記軸筒１及びクリップ本体部１０ａを、再度別の成形型により、クリップ本体部１０ａの連結部１２にエラストマー樹脂を射出成形する所謂二重成形によって行われる。従って、エラストマー樹脂部１１は、容易に剥離することがないようにクリップ本体部１０ａに融着される。
【００１２】
尚、上記軸筒１及びクリップ本体部１０ａとエラストマー樹脂部１１との材質は、双方が融着し合う組合せで選定されている。例えば、軸筒１及びクリップ本体部１０ａがポリプロピレン（ＰＰ）からなる場合は、エラストマー樹脂部１１をオレフィン系エラストマー樹脂とし、また、軸筒１及びクリップ本体部１０ａがアクリルニトリル−スチレン共重合樹脂（ＡＳ）からなる場合には、エラストマー樹脂部１１をスチレン系エラストマー樹脂とし、軸筒１及びクリップ本体部１０ａがポリアミド（ＰＡ）からなる場合には、エラストマー樹脂部１１をポリアミド系エラストマー樹脂とする等である。
【００１３】
而して、上記構成のボールペンＡによれば、図３に示すように、クリップ１０に軸筒１との間を開くように曲げ荷重が加えられると、クリップ１０は、部分的にエラストマー樹脂部１１を弾性変形させて曲げられるため、折れて破断することがない。そして、曲げられたクリップ１０は、上記曲げ荷重が除かれると、エラストマー樹脂部１１の弾性的な復元力により、もとの形状に復元する。
また、クリップ１０に上記曲げ荷重が繰り返し加えられて、連結部１２の部位でクリップ本体部１０ａが破断することがあっても、エラストマー樹脂部１１がクリップ本体部１０ａに融着して結合されているため、折れたクリップ本体部１０ａの先端側が脱落して使用不能となることはない。
【００１４】
上記筆記具では軸筒１にクリップ１０が一体に成形された一例を示したが、次に、キャップにクリップが一体に成形されたボールペンＢについて説明する。
このボールペンＢは、図４（ａ）及び（ｂ）に示すように、軸筒、先口、リフィール、尾栓等を具備してなるボールペン本体３０の先端部に、キャップ２０を嵌めて構成されている。
【００１５】
キャップ２０は、ボールペン本体３０の先端に外嵌合されるキャップ本体部２０ａと、このキャップ本体部後端側の外周面に一体に成形されたクリップ本体部２０ｂと、クリップ本体部２０ｂからキャップ本体部２０ａにわたって形成されたエラストマー樹脂部２１とからなり、該エラストマー樹脂部２１は、クリップ本体部２０ｂ及びキャップ本体部２０ａに融着している。
【００１６】
キャップ本体部２０ａは、略筒状を呈し、その後端開口部に後述するペン先シール部２１ａ’を形成する首栓２１ａが具備される。
また、クリップ本体部２０ｂは、棒状を呈し、上記したボールペンＡと同様にその付け根近傍に連結部２２、そして、先端側に玉部２３が形成されている。そして、後述する連通部２１ｄ及び装飾部２１ｃが形成される部位を、エラストマー樹脂が一体成形されて融着されるように、連結部２２に連通する溝状に形成してある。
尚、これらキャップ本体部２０ａとクリップ本体部２０ｂは、美観を向上する目的で透明の樹脂材料で一体成形してあることが好ましいが、他の色の樹脂材料であっても構わない。
【００１７】
エラストマー樹脂部２１は、キャップ本体部２０ａの後端開口部に形成される首栓２１ａと、クリップ本体部２０ｂの表面に形成される装飾部２１ｃと、連結部２２の外周面を覆う弾性部２１ｂとが、連通部２１ｄを介することで結合されており、これら各部は、上記ボールペンＡ同様に二重成形によってクリップ本体部２０ｂ及びキャップ本体部２０ａに融着されている。
【００１８】
首栓２１ａは、ボールペン本体３０のチップ３１先端が当接されるペン先シール部２１ａ’をキャップ本体部２０ａ内へ突出させている。
また、装飾部２１ｃは、本実施の形態では、「ＺＥＢＲＡ」（登録商標）という文字を、一文字づつ連通部２１ｄで接続して一体に構成したものであり、一体に構成されたものであれば、他の文字や模様等であっても構わない。
尚、この装飾部２１ｃは筆記具のデザインにより必要に応じて設けられるものであり、弾性部２１ｂと首栓２１ａのみを連通部２１ｄで連結することでエラストマー樹脂部２１を構成しても構わない。
【００１９】
また、上述によるエラストマー樹脂部２１の材質には、チップ３１先端をシールするペン先シール部２１ａ’のシール性の観点より好ましくは、オレフィン系エラストマー樹脂、又はＳＥＢＳエラストマー樹脂等が用いられる。
【００２０】
よって、斯かる構成のボールペンＢによれば、上述したボールペンＡ同様に、エラストマー樹脂部２１の弾性部２１ｂにおける部分的な弾性変形により、クリップ本体部２０ｂが折れて破断し難く、しかも、装飾部２１ｃやペン先シール部２１ａ’が同工程の二重成形で形成される。
【００２１】
【発明の効果】
本発明は、以上説明したように構成されているので、以下に記載されるような効果を奏する。
クリップは、エラストマー樹脂部で部分的且つ弾性的に曲がるため、不用意な使用により極度に曲げられたとしても、折れて破断し難い。しかも、エラストマー樹脂部は、クリップと融着し合っているため、容易に剥離されることがない。
その上、エラストマー樹脂部がキャップ又は軸筒の成形工程において二重成形により形成できるため、従来の筆記具の補強構造のような別途組立て工程で補強部材を組付ける場合と比較して部品の管理及び移送面での煩雑さがないので生産性がよい。
よって、クリップの部分的な弾性が高められて耐久性が向上し、不用意な使用状況にも対応できる上、生産性にも優れた筆記具を提供することができる。
しかも、上記エラストマー樹脂部と同時に装飾部やペン先シール部を二重成形すれば、装飾的効果やペン先シール構造を同一の成形工程で容易に付加することができ、更に生産性を向上できる。
【図面の簡単な説明】
【図１】  本発明に係る筆記具の一例を示し、（ａ）は側面図であり、（ｂ）は同図におけるｂ−ｂ線断面図である。
【図２】  同筆記具の要部を断面で示す拡大斜視図である。
【図３】  同筆記具において、クリップが曲げられた状態を示す側面図である。
【図４】  本発明に係る筆記具の他例を示し、（ａ）は正面図であり、（ｂ）は縦断面図である。
【符号の説明】
１：軸筒                        １０：クリップ
１０ａ：クリップ本体部          １１：エラストマー樹脂部
１２：連結部                    ２０：キャップ
２０ａ：キャップ本体部          ２０ｂ：クリップ本体部
２１：エラストマー樹脂部        ２１ａ：首栓
２１ａ’：ペン先シール部          ２１ｂ：弾性部
２１ｃ：装飾部                  ２１ｄ：連通部
２２：連結部                    Ａ，Ｂ：ボールペン
【図１】
0004516164.tif 000002
【図２】
0004516164.tif 000003
【図３】
0004516164.tif 000004
【図４】
0004516164.tif 000005